(57)【特許請求の範囲】
【請求項１】
着用する乳児の背中側を覆う後身頃部と、後身頃部の一方の側縁から延長してこれを前方に折り返すことによって該乳児の少なくとも胸部を覆う内側前身頃部と、後身頃部の他方の側縁から側方に延長してこれを前方に折り返し且つ内側前身頃部の外側に折り重ねることによって該乳児の胸部から腹部を覆う外側前身頃部とを備え、後身頃部及び外側前身頃部はいずれも下方に延長されて股当て部及びその両側に下方延長部を形成していて外側前身頃部を前方に折り返し且つ内側前身頃部の外側に折り重ねたときにこれらの股当て部及びその両側の下方延長部同士が略整合する位置に形成されており、該略整合位置において後身頃部及び外側前身頃部の股当て部とその両側の下方延長部同士を着脱可能に接合する第一の着脱手段を有し、また、後身頃部と外側前身頃部の隣接する下方延長部同士の間には下端から股当て部の高さ位置を越える所定位置までスリットが形成されており、前記第一の着脱手段により後身頃部及び外側前身頃部の股当て部とその両側の下方延長部同士を接合することによって該乳児の上半身から股部及び足を包囲する着衣状態が得られると共に、この第一の着脱手段を外したときには前記スリット先端まで外側前身頃部をまくり上げて該乳児の股部から腹部にかけての部分を露出可能とし、内側前身頃部を外すことなしにおむつ替えを行えるようにしたことを特徴とするベビーウエア。
【請求項２】
内側前身頃部が折り返されて該乳児の少なくとも胸部を覆う状態に維持可能な第二の着脱手段を有することを特徴とする、請求項１記載のベビーウエア。
【発明の詳細な説明】
【技術分野】
【０００１】
本発明はカバーオールもしくはロンパース形式のベビーウエアに関する。
【背景技術】
【０００２】
この種のベビーウエアとして、下記特許文献１に記載のものがある。このベビーウエアにあっては、一方の脚部を開放不能な筒状に形成した固定筒部とすると共に他方の脚部を面ファスナーで接合可能とした開放可能筒部としている。
【特許文献１】特許第３６０４３５０号公報
【発明の開示】
【発明が解決しようとする課題】
【０００３】
この従来技術によるベビーウエアは、おむつ替えが困難であるという課題を抱えている。すなわち、このベビーウエアを着用した乳児についておむつ替えを行うときは、開放可能筒部の面ファスナーを外すことにより片足側については前身頃を開くことができるが、他方の脚は開放不能なズボン形式の固定脚部に入り込んでおり、この固定脚部から足を抜く作業が非常に困難であった。
【０００４】
また、おむつ替えの後に、上半衣を着せたまま上記他方の脚を固定脚部に入れることも容易ではなかった。
【０００５】
したがって、本発明の課題は、これらの従来技術の欠点を解消し、おむつ替え及びその後の着衣を簡単に行うことができる新規な構成のベビーウエアを提供することにある。
【課題を解決するための手段】
【０００６】
この課題を解決するため、請求項１に係る本発明は、着用する乳児の背中側を覆う後身頃部と、後身頃部の一方の側縁から延長してこれを前方に折り返すことによって該乳児の少なくとも胸部を覆う内側前身頃部と、後身頃部の他方の側縁から側方に延長してこれを前方に折り返し且つ内側前身頃部の外側に折り重ねることによって該乳児の胸部から腹部を覆う外側前身頃部とを備え、後身頃部及び外側前身頃部はいずれも下方に延長されて股当て部及びその両側に下方延長部を形成していて外側前身頃部を前方に折り返し且つ内側前身頃部の外側に折り重ねたときにこれらの股当て部及びその両側の下方延長部同士が略整合する位置に形成されており、該略整合位置において後身頃部及び外側前身頃部の股当て部とその両側の下方延長部同士を着脱可能に接合する第一の着脱手段を有し、また、後身頃部と外側前身頃部の隣接する下方延長部同士の間には下端から股当て部の高さ位置を越える所定位置までスリットが形成されており、前記第一の着脱手段により後身頃部及び外側前身頃部の股当て部とその両側の下方延長部同士を接合することによって該乳児の上半身から股部及び足を包囲する着衣状態が得られると共に、この第一の着脱手段を外したときには前記スリット先端まで外側前身頃部をまくり上げて該乳児の股部から腹部にかけての部分を露出可能とし、内側前身頃部を外すことなしにおむつ替えを行えるようにしたことを特徴とするベビーウエアである。
【０００７】
また、請求項２に係る本発明は、請求項１記載のベビーウエアにおいて、内側前身頃部が折り返されて該乳児の少なくとも胸部を覆う状態に維持可能な第二の着脱手段を有することを特徴とする。
【発明の効果】
【０００８】
本発明のベビーウエアによれば、着脱手段を外すことによって乳児の股部から腹部にかけての部分を露出させることができるので、従来技術のようにズボン形式の筒状脚部から乳児の足を引き抜くという困難な作業を必要とせず、おむつ替えを簡単に行うことができる。しかも、上半衣部分を着せたままでおむつ替えを行うことができるので、おむつ替え時に乳児の体が冷えてしまうようなこともない。
【０００９】
さらに、おむつ替えを終えた後には、着脱手段を用いて（外側）前身頃部を閉じれば良く、乳児の胴体と両足を上下から包み込むようにして簡単に着衣を行うことができる。
【発明を実施するための最良の形態】
【００１０】
以下に本発明によるベビーウエアの好適な一実施形態について添付図面を参照して詳述する。このベビーウエア１は、外側前身頃部２と、内側前身頃部３と、後身頃部４と、一対の袖部５ａ，５ｂと、股当て部６とを備える。
【００１１】
外側前身頃部２の下端は、股当て部６と接合される下向き略Ｕ字形状の開口部１５を介して両側に一対の下方延長部７ａ，７ｂを有している。また、後身頃部４の下端も同様に股部６の両側に一対の下方延長部８ａ，８ｂを有している。外側前身頃部２の下方延長部７ａと後身頃部４の下方延長部８ａは、後述する面ファスナーおよびボタンで接合されることにより乳児の一方の足を収容するための第一の筒状脚部９を形成し、同様に、外側前身頃部２の下方延長部７ｂと後身頃部４の下方延長部８ｂは、後述する面ファスナーおよびボタンで接合されることにより乳児の他方の足を収容するための第二の筒状脚部１０を形成する。
【００１２】
外側前身頃部２の側縁に沿った裏面には任意間隔をおいて複数の雄面ファスナー１１（１１ａ〜１１ｄ）が設けられると共に、内側前身頃部３の前側縁に沿った表面に略同一間隔および同一個数の雌面ファスナー１２（１２ａ〜１２ｄ）が設けられ、これら雄雌の面ファスナー１１，１２同士を接合させることにより外側前身頃部２と内側前身頃部３とを一体化して乳児の腹部および胸部を覆う前身頃部が形成される。同時に、第二の筒状脚部１０の外側が閉じられる。なお、言うまでもなく、これら面ファスナー１１，１２は雄雌を反対にして設けても良く、また、面ファスナーに代えてスナップボタン、ボタンとボタン穴の組合せ、フックとフック係止片との組合せ、その他任意の接合手段を採用しても良い。
【００１３】
内側前身頃部３は着用時に乳児の胸部から腹部を覆う寸法および形状を有し、その前端に取り付けた紐１３を、袖部５ａの根元部に取り付けた紐１４と結ぶことによってはだけないようにしている。
【００１４】
外側前身頃部２と後身頃部４との間は下端から所要寸法に亘るスリット２０が設けられており、このスリット２０に臨む外側前身頃部２および後身頃部の側縁に沿って対応する位置に任意数の雄雌の面ファスナー１８，１９が設けられている。これら面ファスナー１８，１９同士を接合することにより、第一の筒状脚部１０の外側が閉じられる。
【００１５】
股当て部６は後身頃部４の下端中央に縫合された帯状の生地からなり、前方から上方に折り返したときに乳児の股部を覆うに十分な幅寸法を有している。股当て部６の折り返し前端縁に沿って任意間隔で任意個数のスナップボタン１６を設けると共に、これと対をなすスナップボタン１７を外側前身頃部２の下端の下向き略Ｕ字形状開口部１５の開口縁に沿って対応する位置に設け、これらスナップボタン１６，１７同士を嵌め合わせることにより、第一の筒状脚部９および第二の筒状脚部１０のそれぞれ内股側を閉じることができる。
【００１６】
以上のように構成されたベビーウエア１を着用した乳児についておむつ替えを行うときは、乳児を寝かせて、股当て部６を閉じているスナップボタン１６，１７を外すと共に、外側前身頃部２と内側前身頃部３とを閉じている面ファスナー１１，１２を外し、さらに外側前身頃部２と後身頃部４との間のスリット２０を閉じている面ファスナー１８，１９を外す。このとき、外側前身頃部２と内側前身頃部３とを閉じている面ファスナー１１，１２については、乳児の股部から腹部にかけての部分をはだけるに十分な高さ位置まで面ファスナー１１，１２を外せば良く、たとえば図示実施形態では下から２つ目（または３つ目）までの面ファスナー１１ａ〜１１ｂ（〜１１ｃ），１２ａ〜１２ｂ（〜１２ｃ）を外せば十分であり、乳児の胸部を覆う高い位置にある面ファスナー１１ｄ，１２ｄについては外す必要がない。
【００１７】
このようにしてスナップボタンおよび面ファスナーを外すと、少なくとも乳児の腹部までの下半衣部分については外側前身頃部２がフリーとなり、外側前身頃部２を上にたくし上げて乳児の腹部から下の下半身が完全に露出する（図３参照）ので、おむつ替えを容易に行うことができる。また、ベビーウエア１の上半衣部分は着せたままであり、内側前身頃部３と外側前身頃部２の上半部とが重なり合った状態で乳児の胸部を暖かく保持しながらおむつ替えを行うことができる。
【００１８】
おむつ替えを終えた後は、外したスナップボタン１６，１７、面ファスナー１１，１２および面ファスナー１８，１９を再び接合して閉じることにより、図１に示すような着衣状態に戻る。このとき、上半衣部分は着せたままの状態が保持されており、下半衣部分のみを外側前身頃部２と後身頃部４とで上下から包み込むように着せる形となるので、乳児が暴れるようなことがあっても容易に着衣可能である。
【００１９】
本発明によるベビーウエアを図示の一実施形態について詳述したが、本発明はこれに限定されるものではなく、特許請求の範囲によって特定される発明の範囲内において様々な形態をとることが可能である。たとえば、図示実施形態では外側前身頃部を内側前身頃部に重ね合わせて乳児の胸部から腹部にかけての上半衣部分の保温性を高め、また着脱を容易に行えるようにしているが、上半衣部分をＴシャツ形式としたベビーウエアなどにも本発明は適用可能である。
【図面の簡単な説明】
【００２０】
【図１】本発明の一実施形態に係るベビーウエアの正面図である。
【図２】同ベビーウエアの展開状態図である。
【図３】同ベビーウエアの下半部を腹部までまくり上げた状態を示す正面図である。
【符号の説明】
【００２１】
１  ベビーウエア
２  外側前身頃部
３  内側前身頃部
４  後身頃部
５ａ．５ｂ  袖部
６  股当て部
７ａ，７ｂ  外側前身頃部２の下方延長部
８ａ，８ｂ  後身頃部４の下方延長部
９  第一の筒状脚部
１０  第二の筒状脚部
１１（１１ａ〜１１ｄ）  面ファスナー
１２（１２ａ〜１２ｄ）  面ファスナー
１３  紐
１４  紐
１５  下向き略Ｕ字形状開口部
１６  スナップボタン
１７  スナップボタン
１８  面ファスナー
１９  面ファスナー
２０  スリット
【図１】
0004737752.tif 000002
【図２】
0004737752.tif 000003
【図３】
0004737752.tif 000004